(57)【要約】【課題】            本考案は、不使用段階にて本体の先端部分をキャップ内に収容している場合には、キャップと本体との太さの差が目立たず、しかも、キャップの後端開口部から突出している本体の長さを極力小さくすることを可能とし、他方使用段階にて、本体の後端部をキャップに嵌入している場合には、筆記に適切な長さを設定できるような筆記具の構成を提供すること。【解決手段】        筆記をする際把持の対象となる本体１部分と、当該本体１部分を嵌入するキャップ２とからなる筆記用具において、本体１部分の後端部又はその近傍、及び当該後端部と先端部との中間領域に、キャップ２の内側を圧接しながらスライドし得るＯリング１１をそれぞれ周設し、キャップ２の内側周壁に前記中間領域に設けたＯリング１１と嵌合し合う凹溝２１を設けたことに基づき、前記課題を達成し得る筆記用具。【選択図】          図１
0003106962.tif 000002
【実用新案登録請求の範囲】
【請求項１】
筆記をする際把持の対象となる本体部分と、当該本体部分を嵌入するキャップとからなる筆記用具において、本体部分の後端部又はその近傍、及び当該後端部と先端部との中間領域に、キャップの内側を圧接しながらスライドし得るＯリングをそれぞれ周設したことに基づく筆記用具。
【請求項２】
キャップの内側周壁に前記後端部又はその近傍に設けたＯリング、又は前記中間領域に周設したＯリングと嵌合し合う凹溝を設けたことを特徴とする筆記用具。
【請求項３】
前記中間領域に周設したＯリングと嵌合するためのキャップの後端開口部の付近に位置していることを特徴とする請求項１記載の筆記用具。
【請求項４】
後端に周設したＯリングが、後端又はその近傍に設けられた溝内に埋設されており、かつその外側が、当該溝から突出していることを特徴とする請求項１記載の筆記用具。
【請求項５】
本体部分において、円輪状のストッパーを設け、当該ストッパーの両側がキャップの後端と当接し得ることを特徴とする請求項１記載の筆記用具。
【考案の詳細な説明】
【技術分野】
【０００１】
本考案は、キャップと本体との接続構造に基本的特徴を有している筆記用具に関するものである。
【背景技術】
【０００２】
万年筆などの筆記をする際、把持の対象となる筆記用具の本体と、当該本体を嵌入するキャップとからなる筆記用具においては、キャップの内側には通常金属バネ筒を備えており、筆記によって使用する段階では、キャップの後端側を当該金属バネに挿嵌し、筆記していない不使用段階であって、ペン先を有している先端部をキャップ内に収納する場合には、本体の前側部分を当該金属バネ筒に挿嵌させていた。
【０００３】
しかしながら、このような金属バネ筒に本体の後端側又は前側を挿嵌する構成では、必然的にキャップ本体の外径は、少なくとも金属バネ筒に挿嵌される領域においては、概略金属バネ筒の内径と同一であり、必然的にキャップの内径よりも小さく、ひいてはキャップの外径よりも一段と小さい設計とならざるを得ない。
【０００４】
しかも、本体の後端側は、スムースに金属バネ筒に挿嵌させることを必要としているため、順次先細り形状に設計されるのが通常である。
【０００５】
このように、本体の外径がキャップの外径よりも小さいことによって、使用段階における本体の後端部をキャップ内に収容している場合、及び不使用段階にて本体の先端部をキャップ内に収容している場合の何れにおいても、太さの点においてキャップと本体の間に段差が生じ、太さの相違が小さいことによる簡便かつスマートな設計を得ることができない。
【０００６】
他方、本体の後端部が順次先細りであることを原因として、不使用の段階に先端部をキャップ内に嵌入している際、当該先細り部分は、必然的にキャップの後端開口部に嵌入されておらず、当該開口部から更に外側に突出しており、不使用の段階においても、必要以上の長さのスペースを要するという根本的欠陥を免れることができない。
【考案の開示】
【考案が解決しようとする課題】
【０００７】
本考案は、前記の如き従来技術の問題点に鑑み、本体の外径とキャップの外径との差が従来技術の万年筆などに比し、相当小さく設定可能であり、しかも不使用段階にて本体の先端部をキャップ内に収容している場合には、キャップの後端開口部から突出している本体の長さを極力小さくすることが可能であると共に、使用段階にて本体の後端部をキャップに嵌入している場合には、筆記に適切な長さを設定できるような筆記具の構成を提供することを課題としている。
【課題を解決するための手段】
【０００８】
前記課題を解決するため、本考案の構成は、筆記をする際把持の対象となる本体部分と、当該本体部分を嵌入するキャップとからなる筆記用具において、本体部分の後端部又はその近傍、及び当該後端部と先端部との中間領域に、キャップの内側を圧接しながらスライドし得るＯリングをそれぞれ周設したことに基づく筆記用具からなる。
【考案の効果】
【０００９】
本考案においては、本体の外径とキャップの外径との差が従来技術の万年筆などに比し、相当小さく設定可能であり、しかも不使用段階にて本体の先端部をキャップ内に収容している場合には、キャップの後端開口部から突出している本体の長さを極力小さくすることが可能であると共に、使用段階にて本体の後端部をキャップに嵌入している場合には、筆記に適切な長さを設定することができる。
【考案を実施するための最良の形態】
【００１０】
本考案の典型的な実施形態を示している。
【００１１】
図１（ａ）からも明らかなように、本考案においては、本体１の後端部又はその近傍、及び先端部と後端部との中間領域にそれぞれＯリング１１を周設しており、当該周設が本考案の基本構成に該当する。
【００１２】
本考案においては、キャップ２の内側周壁に前記後端部又はその近傍に設けたＯリング１１、又は前記中間領域に周設したＯリング１１と嵌合し合う凹溝２１を設けることによって、本体１とキャップ２との間にて安定した嵌入関係を実現することが可能であるが、当該凹溝２１を設けることは、本考案の必須の要件ではない（尚、図１（ａ）、（ｂ）は、前記中間領域に周設したＯリング１１と嵌合するための凹溝２１を設けた場合を示す。）。
【００１３】
各Ｏリング１１は、図２に示すように、キャップ２に嵌入する際、本来有している伸縮性に基づき、キャップ２の内壁を圧接しながら摺動可能な状態となるような径を有するように設定されている。
【００１４】
図３（ａ）は、不使用段階において、本体１の先端部をキャップ２に嵌入した状態を示しており、図３（ｂ）は使用段階において本体１の後端部をキャップ２に嵌入した状態を示しているが、本考案においては、本体１から僅かに突出した状態にあるＯリング１１がキャップ２の内壁を圧接した場合において、当該Ｏリング１１の外径は、本体１の径に比し、僅かに大きい程度となるように設計することができる。
【００１５】
このような設計においては、本体１の外径をキャップ２の内壁の径に比し、僅かに小さい程度に設計することができ、ひいては、本体１の外径とキャップ２の外径との差を従前の万年筆などに比し、相当小さく設定することが可能となる。
【００１６】
本考案の筆記用具の場合には、本体１の後端側は、決して従来技術の万年筆のように先細り形状とする必要がないことから、図３（ａ）に示すように、不使用段階において、本体１の先端側をキャップ２に嵌入した場合には、キャップ２の開口部後端から突出する本体１の後端側の長さの程度を、従前の万年筆などに比し極めて短い状態にすることができ、極めてコンパクトな状態を実現することができる。
【００１７】
このような必要段階におけるコンパクトな状態を実現する一方、使用段階では図３（ｂ）に示すように、キャップ２の後端開口部の付近において、本体の後端部又はその近傍に周設したＯリング１１を、キャップ２の内壁を圧接するように嵌入することによって、筆記に適当な長さ状態を実現することができる。
【００１８】
Ｏリング１１の周設状態としては、図１及び図３に示すように、本体１表面に当接した状態にて設ける実施形態、及び図４に示すように、本体１に溝を周設し、当該溝に埋設しかつ外側部分が本体１の外側表面からやや突出した状態とする実施形態の何れをも採用し得るが、後者の実施形態の方が安定した周設を維持するうえで好ましい。
【００１９】
本体１における先端部と後端部との中間領域に周設したＯリング１１が嵌合するキャップ２の内壁の凹溝２１を設ける位置は特に限定される訳ではないが、キャップ２の後端開口付近に設ける実施形態の場合には、当該Ｏリング１１がキャップ２の内壁を圧接しながら摺動する距離を短く設定できる点において好ましい。
【００２０】
キャップ２の後端開口付近に凹溝２１を設けた場合には、実施形態において、不使用段階にて本体１の先端側をキャップ２に嵌入した場合に、本体１の後端のキャップ２からの突出部分を短く設定するためには、前記のような中間領域に設けるＯリング１１もまた図３（ａ）に示す場合に比し、更に後端に近い位置に周設すると良い。
【００２１】
以下、実施例に即して説明する。
【実施例】
【００２２】
実施例においては、図５に示すように、本体１部分において、円輪状のストッパー１４を設け、当該ストッパー１４の両側がキャップ２の後端と当接し得ることを特徴としている。
【００２３】
このように、円輪状のストッパー１４を設けることによって、使用時における嵌入、及び不使用時における嵌入の何れにおいても、円輪状のストッパー１４の端部とキャップ２の開口部後端とを当接することによって、キャップ２と本体１との接合位置を確定し、双方の嵌入関係を安定した状態にて維持することが可能となる。
【産業上の利用可能性】
【００２４】
本考案の構成は、万年筆、ボールペン、シャープペンシルなどの様々なタイプの筆記用具において適用可能であり、これらの筆記用具の製造、及び筆記具の使用に資することができる。
【図面の簡単な説明】
【００２５】
【図１】本発明の基本構成を示す図面であって、（ａ）は本体の側面図を示しており、（ｂ）はキャップの長手方向断面図を示している。
【図２】本体のＯリングが、キャップの内壁を圧接しながら摺動する状況を示す側断面図である。
【図３】本体をキャップに嵌入した状況を示しており、（ａ）は不使用時にて本体の先端側をキャップに嵌入した状況を示しており、（ｂ）は不使用時にて本体の後端側をキャップに嵌入した状況を示している。
【図４】本体に設けた溝にＯリングを埋設した状況を示す断面図である。
【図５】本体に円輪状のストッパーを設けた状況を示す側面図である。
【符号の説明】
【００２６】
１  本体
１１  Ｏリング
１２  筆記先端部
１３  円輪溝
１４  円輪ストッパー
２  キャップ
２１  凹溝
【図１】
0003106962.tif 000003
【図２】
0003106962.tif 000004
【図３】
0003106962.tif 000005
【図４】
0003106962.tif 000006
【図５】
0003106962.tif 000007
【手続補正書】
【提出日】平成16年10月1日(2004.10.1)
【手続補正１】
【補正対象書類名】実用新案登録請求の範囲
【補正対象項目名】請求項２
【補正方法】変更
【補正の内容】
【請求項２】
キャップの内側周壁に本体部分の後端部又はその近傍に設けたＯリング、又は本体部分の後端部と先端部との中間領域に周接したＯリングと嵌合し合う凹溝を設けたことを特徴とする請求項１記載の筆記用具